(57)【要約】  本発明は、ネジと放熱板との間における絶縁性を確保し、かつ小型化および低コスト化が可能な半導体装置を提供することを目的とする。本発明による半導体装置１は、半導体素子２を内包する筐体１５と、筐体１５の底面に配置され、一部が筐体１５を超えて外部に延在するように設けられた放熱板１２と、半導体素子２に電気的に接続され、一部が筐体１５から外部に放熱板１２と平行に突出して設けられた電極６と、筐体１５から突出した電極６の露出部分とバスバー８とを接合するネジ９とを備え、放熱板１２は、少なくともネジ９に対向する部分のネジ９側に肉厚欠損部１３を有する。
2017134799.tif 000002
【特許請求の範囲】
【請求項１】
半導体素子を内包する筐体と、
前記筐体の底面に配置され、一部が前記筐体を超えて外部に延在するように設けられた放熱板と、
前記半導体素子に電気的に接続され、一部が前記筐体から外部に前記放熱板と平行に突出して設けられた電極と、
前記筐体から突出した前記電極の露出部分と外部端子とを接合するネジと、
を備え、
前記放熱板は、少なくとも前記ネジに対向する部分の前記ネジ側に肉厚欠損部を有することを特徴とする、半導体装置。
【請求項２】
前記放熱板は、前記ネジに対向する部分を含む前記外部に延在した全ての部分に前記肉厚欠損部を有することを特徴とする、請求項１に記載の半導体装置。
【請求項３】
前記放熱板は、前記ネジに対向する部分のみに前記肉厚欠損部を有することを特徴とする、請求項１に記載の半導体装置。
【請求項４】
半導体素子を内包する筐体と、
前記筐体の底面に配置され、一部が前記筐体を超えて外部に延在するように設けられた放熱板と、
前記半導体素子に電気的に接続され、一部が前記筐体から外部に前記放熱板と平行に突出して設けられた電極と、
前記筐体から突出した前記電極の露出部分と外部端子とを接合するネジと、
を備え、
前記放熱板は、前記ネジに対向する部分には設けられないことを特徴とする、半導体装置。
【請求項５】
前記放熱板は、前記ネジに対向する部分に切り欠き部を有することを特徴とする、請求項４に記載の半導体装置。
【請求項６】
前記放熱板は、前記ネジに対向する部分を囲む開口部を有することを特徴とする、請求項４に記載の半導体装置。
【発明の詳細な説明】
【技術分野】
【０００１】
本発明は、半導体装置に関し、特に電力変換用のパワー半導体装置に関する。
【背景技術】
【０００２】
パワー半導体装置は、当該パワー半導体装置の筐体から外部に突出して設けられた電極を備えている。電極は、突出部分においてバスバーとネジによって接合されている。また、パワー半導体装置は、筐体内で生じた熱を外部に放熱するために、金属製の放熱板を備えている。放熱板は、電極と平行となるように筐体から外部に突出して設けられている場合がある。この場合、ネジと放熱板との間において電気的な絶縁性を確保する必要があるため、パワー半導体装置が厚さ方向に制約されて小型化の妨げになるという問題があった。【０００３】
上記の対策として、従来、ネジと放熱板との間における絶縁性を確保するために、放熱板のネジに対向する側の面上に絶縁シートを設ける技術が開示されている（特許文献１，２参照）。
【先行技術文献】
【特許文献】
【０００４】
【特許文献１】特開２００３−７９６６号公報
【特許文献２】特開平９−１５３５７４号公報
【発明の概要】
【発明が解決しようとする課題】
【０００５】
特許文献１，２では、ネジと放熱板との間における絶縁性を確保するために絶縁シートを設けているため、コストがかかるという問題があった。【０００６】
本発明は、このような問題を解決するためになされたものであり、ネジと放熱板との間における絶縁性を確保し、かつ小型化および低コスト化が可能な半導体装置を提供することを目的とする。
【課題を解決するための手段】
【０００７】
上記の課題を解決するために、本発明による半導体装置は、半導体素子を内包する筐体と、筐体の底面に配置され、一部が筐体を超えて外部に延在するように設けられた放熱板と、半導体素子に電気的に接続され、一部が筐体から外部に放熱板と平行に突出して設けられた電極と、筐体から突出した電極の露出部分と外部端子とを接合するネジとを備え、放熱板は、少なくともネジに対向する部分のネジ側に肉厚欠損部を有することを特徴とする。【０００８】
本発明による半導体装置は、半導体素子を内包する筐体と、筐体の底面に配置され、一部が筐体を超えて外部に延在するように設けられた放熱板と、半導体素子に電気的に接続され、一部が筐体から外部に放熱板と平行に突出して設けられた電極と、筐体から突出した電極の露出部分と外部端子とを接合するネジとを備え、放熱板は、ネジに対向する部分には設けられないことを特徴とする。
【発明の効果】
【０００９】
本発明によると、半導体装置は、半導体素子を内包する筐体と、筐体の底面に配置され、一部が筐体を超えて外部に延在するように設けられた放熱板と、半導体素子に電気的に接続され、一部が筐体から外部に放熱板と平行に突出して設けられた電極と、筐体から突出した電極の露出部分と外部端子とを接合するネジとを備え、放熱板は、少なくともネジに対向する部分のネジ側に肉厚欠損部を有するため、ネジと放熱板との間における絶縁性を確保し、かつ小型化および低コスト化が可能となる。【００１０】
また、半導体装置は、半導体素子を内包する筐体と、筐体の底面に配置され、一部が筐体を超えて外部に延在するように設けられた放熱板と、半導体素子に電気的に接続され、一部が筐体から外部に放熱板と平行に突出して設けられた電極と、筐体から突出した電極の露出部分と外部端子とを接合するネジとを備え、放熱板は、ネジに対向する部分には設けられないため、ネジと放熱板との間における絶縁性を確保し、かつ小型化および低コスト化が可能となる。【００１１】
本発明の目的、特徴、態様、および利点は、以下の詳細な説明と添付図面とによって、より明白となる。
【図面の簡単な説明】
【００１２】
【図１】本発明の実施の形態１による半導体装置の構成の一例を示す図である。
【図２】本発明の実施の形態２による半導体装置の構成の一例を示す図である。
【図３】本発明の実施の形態３による半導体装置の構成の一例を示す図である。
【図４】本発明の実施の形態４による半導体装置の構成の一例を示す図である。
【図５】前提技術による半導体装置の構成の一例を示す図である。
【発明を実施するための形態】
【００１３】
本発明の実施の形態について、図面に基づいて以下に説明する。
【００１４】
＜前提技術＞
まず、本発明の前提となる技術（前提技術）について説明する。
【００１５】
図５は、前提技術による半導体装置２３の構成の一例を示す図であり、半導体装置２３の断面を示している。
【００１６】
半導体装置２３は、筐体１５内に半導体素子２、金属パターン３、ワイヤ５、電極６、ワイヤ７、および絶縁基板１１を備えており、底面（紙面の下側の面）に放熱板２４を配置している。また、筐体１５内には、樹脂１６が封止されている。
【００１７】
半導体素子２は、一方の面がはんだ４を介して金属パターン３上に電気的に接続されており、他方の面にはワイヤ５が電気的に接続されている。金属パターン３および電極６は、絶縁基板１１上に設けられており、ワイヤ５を介して電気的に接続されている。
【００１８】
放熱板２４は、一方の面が絶縁基板１１の金属パターン３が設けられている側の面とは反対側の面にはんだ１４を介して設けられており、他方の面が露出している。また、放熱板２４は、筐体１５の底面に配置され、一部が筐体１５を超えて外部に延在するように設けられている。
【００１９】
電極６は、一端が筐体１５内で露出するように設けられており、他端は筐体１５から外部に放熱板２４と平行に突出して設けられている。電極６の他端は、上面（紙面の上側の面）が露出している。当該露出部分には、ネジ９およびナット１０によってバスバー８が接合されている。バスバー８は、外部から半導体素子２に対する電圧の印加、および半導体素子２の出力を外部に伝達するために設けられた外部端子である。
【００２０】
上記の構成とすることによって、放熱板２４は、筐体１５内で生じた熱を効率良く外部に放熱することができる。また、半導体装置２３は、放熱板２４および樹脂１６を備えることによって、寿命の向上を図ることができる。
【００２１】
図５に示す前提技術による半導体装置２３では、ネジ９と放熱板２４との間において電気的な絶縁性を確保する必要があるため、ネジ９と放熱板２４との間の距離（図中の両矢印で示す距離）を単純に狭めることができない。すなわち、半導体装置２３が厚さ方向に制約されて小型化の妨げになるという問題があった。
【００２２】
上記の対策として、特許文献１，２では、ネジと放熱板との間における絶縁性を確保するために、放熱板のネジに対向する側の面上に絶縁シートを設けているが、コストがかかるという問題があった。
【００２３】
本発明は、このような問題を解決するためになされたものであり、以下に詳細に説明する。
【００２４】
＜実施の形態１＞
図１は、本発明の実施の形態１による半導体装置１の構成の一例を示す図であり、半導体装置１の断面を示している。
【００２５】
図１に示すように、本実施の形態１による半導体装置１は、放熱板１２を備えることを特徴としている。その他の構成は、前提技術（図５参照）と同様であるため、ここでは詳細な説明を省略する。
【００２６】
放熱板１２は、筐体１５の底面に配置され、一部が筐体１５を超えて外部に延在するように設けられている。また、放熱板１２は、筐体１５を超えて外部に延在している部分に肉厚欠損部１３を有している。すなわち、放熱板１２は、ネジ９に対向する部分を含む外部に延在した全ての部分に肉厚欠損部１３を有している。放熱板１２において、肉厚欠損部１３は他の部分よりも厚さが薄い。
【００２７】
以上のことから、本実施の形態１によれば、前提技術による半導体装置２３よりもネジ９と放熱板１２との距離を長くすることができるため、前提技術による半導体装置２３よりも本実施の形態１による半導体装置１の方が厚さ方向の小型化が可能となる。また、新たな部材を設けることなく、ネジ９と放熱板１２との間における絶縁性を確保することができるため、半導体装置１の低コスト化を実現することが可能となる。
【００２８】
＜実施の形態２＞
図２は、本発明の実施の形態２による半導体装置１７の構成の一例を示す図であり、半導体装置１７を放熱板１８側から見た図である。
【００２９】
図２に示すように、本実施の形態２による半導体装置１７は、放熱板１８を備えることを特徴としている。その他の構成は、前提技術（図５参照）と同様であるため、ここでは詳細な説明を省略する。
【００３０】
放熱板１８は、筐体１５の底面に配置され、一部が筐体１５を超えて外部に延在するように設けられている。また、放熱板１８は、筐体１５を超えて外部に延在している部分のうちのネジ９に対向する部分のみに肉厚欠損部１３（図中、放熱板１８のうちのハッチング部分）を有している。
【００３１】
以上のことから、本実施の形態２によれば、実施の形態１による効果に加えて、放熱板１８が形状変化の要因（例えば、温度変化など）によって変形することを抑制することができる。
【００３２】
＜実施の形態３＞
図３は、本発明の実施の形態３による半導体装置１９の構成の一例を示す図であり、半導体装置１９を放熱板２０側から見た図である。
【００３３】
図３に示すように、本実施の形態３による半導体装置１９は、放熱板２０を備えることを特徴としている。その他の構成は、前提技術（図５参照）と同様であるため、ここでは詳細な説明を省略する。
【００３４】
放熱板２０は、筐体１５の底面に配置され、一部が筐体１５を超えて外部に延在するように設けられている。また、放熱板２０は、筐体１５を超えて外部に延在している部分のうちのネジ９に対向する部分には設けられていない。図３の例では、放熱板２０は、ネジ９に対向する部分に切り欠き部を有している。
【００３５】
以上のことから、本実施の形態３によれば、前提技術による半導体装置２３よりも本実施の形態３による半導体装置１９の方が厚さ方向の小型化が可能となる。また、新たな部材を設けることなく、ネジ９と放熱板１２との間における絶縁性を確保することができるため、半導体装置１の低コスト化を実現することが可能となる。
【００３６】
＜実施の形態４＞
図４は、本発明の実施の形態４による半導体装置２１の構成の一例を示す図であり、半導体装置２１を放熱板２２側から見た図である。
【００３７】
図４に示すように、本実施の形態４による半導体装置２１は、放熱板２２を備えることを特徴としている。その他の構成は、前提技術（図５参照）と同様であるため、ここでは詳細な説明を省略する。
【００３８】
放熱板２２は、筐体１５の底面に配置され、一部が筐体１５を超えて外部に延在するように設けられている。また、放熱板２２は、筐体１５を超えて外部に延在している部分のうちのネジ９に対向する部分を囲む開口部を有している。
【００３９】
以上のことから、本実施の形態４によれば、実施の形態３による効果に加えて、放熱板２２が形状変化の要因（例えば、温度変化など）によって変形することを抑制することができる。
【００４０】
なお、本発明は、その発明の範囲内において、各実施の形態を自由に組み合わせたり、各実施の形態を適宜、変形、省略することが可能である。
【００４１】
本発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【００４２】
１  半導体装置、２  半導体素子、３  金属パターン、４  はんだ、５  ワイヤ、６  電極、７  ワイヤ、８  バスバー、９  ネジ、１０  ナット、１１  絶縁基板、１２  放熱板、１３  肉厚欠損部、１４  はんだ、１５  筐体、１６  樹脂、１７  半導体装置、１８  放熱板、１９  半導体装置、２０  放熱板、２１  半導体装置、２２  放熱板、２３  半導体装置、２４  放熱板。
【図１】
2017134799.tif 000003
【図２】
2017134799.tif 000004
【図３】
2017134799.tif 000005
【図４】
2017134799.tif 000006
【図５】
2017134799.tif 000007
【国際調査報告】
2017134799.tif 000008
2017134799.tif 000009
2017134799.tif 000010